(57)【要約】【課題】患者が医療機関からネットワークを介して日常生活改善のためのアドバイスを受けることができる日常生活改善システムを提供すること。【解決手段】日常生活改善システムＡは、システム管理センター内に設置されるサーバ１へ、インターネット回線１０を介してアクセス可能な患者端末２、２…および医療機関端末３、３…を備え、患者が患者端末２から患者本人の患者識別コードおよびかかりつけの医療機関の医院ＩＤを使ってサーバ１へアクセスを行った際に、更新された通知情報が通知データベース１３ｅに有る場合には、認証手段１１ａが患者端末２のブラウザに『通知があります』を表示させる。このため、生理学的検査の検査履歴に更新、診療録に更新、予約が取れたかどうかの確認結果、摂取履歴の記入忘れ、医療機関からの食生活指導等の更新の内、何れか一つ以上が有ることが判り使い勝手が良い。【選択図】図１
2012190338.tif 000002
【特許請求の範囲】
【請求項１】
固有の患者識別コードが割り振られた患者が、個別の医院ＩＤが割り振られたかかりつけの医療機関で定期的に受けた生理学的検査の前記患者識別コードの結果履歴を医院ＩＤ毎に格納しておく検査データベースと、
固有の患者識別コードが割り振られた患者が、個別の医院ＩＤが割り振られたかかりつけの医療機関へ来院した際に行った診察や治療に関する前記患者識別コードの診療録を医院ＩＤ毎に格納しておく診療データベースと、
固有の患者識別コードが割り振られた患者が食事で摂取した食品の種類、量、日時に関する前記患者識別コードの摂取履歴をかかりつけの医療機関の医院ＩＤ毎に格納しておく食事データベースと、
個別の医院ＩＤが割り振られたかかりつけの医療機関から通知対象の患者識別コードの患者へ送るための通知情報を医院ＩＤ毎に格納しておく通知データベースとを有し、管理センターに設置されるサーバと、
ネットワークを介して前記サーバへアクセス可能な複数の患者端末と、
前記ネットワークを介して前記サーバへアクセス可能な複数の医療機関端末とを備える日常生活改善システムであって、
所定の医院ＩＤの医療機関をかかりつけとする患者は、前記患者端末から前記サーバの前記検査データベース、前記診療データベース、および前記通知データベースに格納されている前記医院ＩＤの自分の患者識別コードに係る前記結果履歴、前記診療録、および前記通知情報を閲覧可能であるとともに、前記患者端末から前記サーバの前記食事データベースに格納されている前記医院ＩＤの自分の患者識別コードに係る前記摂取履歴への新規書込が可能であり、
個別の医院ＩＤが割り振られた医療機関は、前記医療機関端末から前記サーバの前記検査データベース、前記診療データベース、および前記通知データベースに格納されている前記医院ＩＤの患者識別コードに係る前記結果履歴、前記診療録、前記通知情報への書込や閲覧が可能であるとともに、前記サーバの前記食事データベースに格納されている前記医院ＩＤの患者識別コードに係る前記摂取履歴の閲覧が可能であることを特徴とする日常生活改善システム。
【請求項２】
固有の患者識別コードが割り振られた患者が、個別の医院ＩＤが割り振られたかかりつけの医療機関で定期的に受けた生理学的検査の結果履歴を医院ＩＤ毎に格納しておく検査データベースと、
固有の患者識別コードが割り振られた患者が、個別の医院ＩＤが割り振られたかかりつけの医療機関へ来院した際に行った診察や治療に関する診療録を医院ＩＤ毎に格納しておく診療データベースと、
固有の患者識別コードが割り振られた患者が食事で摂取した食品の種類、量、日時に関する摂取履歴をかかりつけの医療機関の医院ＩＤ毎に格納しておく食事データベースと、  個別の医院ＩＤが割り振られたかかりつけの医療機関から通知対象の患者識別コードの患者へ送るための通知情報を医院ＩＤ毎に格納しておく通知データベースと、
患者がアクセスするための患者識別コードと前記患者がかかりつけとする医療機関の医院ＩＤ、および個別の医院ＩＤが割り振られた医療機関がアクセスするための医療機関用の個別のアクセスコードを格納した認証手段とを有し、管理センターに設置されるサーバと、
ネットワークを介し、患者本人の患者識別コードおよびかかりつけの医療機関の医院ＩＤを使って前記サーバへアクセス可能な各患者端末と、
前記ネットワークを介し、自己の医療機関の個別のアクセスコードを使って前記サーバへアクセス可能な各医療機関端末とを備える日常生活改善システムであって、
所定の医院ＩＤの医療機関をかかりつけとする患者は、前記患者端末から前記サーバの前記検査データベース、前記診療データベース、および前記通知データベースに格納されている前記医院ＩＤの自分の患者識別コードに係る前記結果履歴、前記診療録、および前記通知情報を閲覧可能であるとともに、前記患者端末から前記サーバの前記食事データベースに格納されている前記医院ＩＤの自分の患者識別コードに係る前記摂取履歴への新規書込が可能であり、
個別の医院ＩＤが割り振られた医療機関は、前記医療機関端末から前記サーバの前記検査データベース、前記診療データベース、および前記通知データベースに格納されている前記医院ＩＤの患者識別コードに係る前記結果履歴、前記診療録、前記通知情報への書込や閲覧が可能であるとともに、前記サーバの前記食事データベースに格納されている前記医院ＩＤの患者識別コードに係る前記摂取履歴の閲覧が可能であり、
患者が前記患者端末から患者本人の患者識別コードおよびかかりつけの医療機関の医院ＩＤを使って前記サーバへアクセスを行った際に、前記医院ＩＤの前記患者識別コードに係る更新された通知情報が前記通知データベースに有る場合には、前記認証手段が前記患者端末へ有る旨を報知することを特徴とする日常生活改善システム。
【請求項３】
固有の患者識別コードが割り振られた患者が、個別の医院ＩＤが割り振られたかかりつけの医療機関で定期的に受けた生理学的検査の結果履歴を医院ＩＤ毎に格納しておく検査データベースと、
固有の患者識別コードが割り振られた患者が、個別の医院ＩＤが割り振られたかかりつけの医療機関へ来院した際に行った診察や治療に関する診療録を医院ＩＤ毎に格納しておく診療データベースと、
固有の患者識別コードが割り振られた患者が食事で摂取した食品の種類、量、日時に関する摂取履歴をかかりつけの医療機関の医院ＩＤ毎に格納しておく食事データベースと、  加盟している飲食店が提示した来店可能日時および提供可能な飲食物の種類のリストに基づいて、患者本人の患者識別コードおよびかかりつけの医療機関の医院ＩＤを使って前記患者が入力した予約データを医院ＩＤ毎に格納しておく外食データベースと、
個別の医院ＩＤが割り振られたかかりつけの医療機関から通知対象の患者識別コードの患者へ送るための通知情報を医院ＩＤ毎に格納しておく通知データベースとを有し、管理センターに設置されるサーバと、
ネットワークを介して前記サーバへアクセス可能な複数の患者端末と、
前記ネットワークを介して前記サーバへアクセス可能な複数の医療機関端末とを備える日常生活改善システムであって、
所定の医院ＩＤの医療機関をかかりつけとする患者は、前記患者端末から前記サーバの前記検査データベース、前記診療データベース、前記通知データベース、および前記外食データベースに格納されている前記医院ＩＤの自分の患者識別コードに係る前記結果履歴、前記診療録、前記通知情報、および前記予約データを閲覧可能であるとともに、
前記患者端末から前記サーバの前記食事データベースに格納されている前記医院ＩＤの自分の患者識別コードに係る前記摂取履歴への新規書込、および前記外食データベースへの予約書込が可能であり、
個別の医院ＩＤが割り振られた前記医療機関は、前記医療機関端末から前記サーバの前記検査データベース、前記診療データベース、および前記通知データベースに格納されている前記医院ＩＤの患者識別コードに係る前記結果履歴、前記診療録、前記通知情報、および前記予約データへの書込や閲覧が可能であるとともに、前記サーバの前記食事データベースに格納されている前記医院ＩＤの患者識別コードに係る前記摂取履歴の閲覧が可能であることを特徴とする日常生活改善システム。
【請求項４】
固有の患者識別コードが割り振られた患者が、個別の医院ＩＤが割り振られたかかりつけの医療機関で定期的に受けた生理学的検査の結果履歴を医院ＩＤ毎に格納しておく検査データベースと、
固有の患者識別コードが割り振られた患者が、個別の医院ＩＤが割り振られたかかりつけの医療機関へ来院した際に行った診察や治療に関する診療録を医院ＩＤ毎に格納しておく診療データベースと、
固有の患者識別コードが割り振られた患者が食事で摂取した食品の種類、量、日時に関する摂取履歴をかかりつけの医療機関の医院ＩＤ毎に格納しておく食事データベースと、  加盟している飲食店が提示した来店可能日時および提供可能な飲食物の種類のリストに基づいて、患者本人の患者識別コードおよびかかりつけの医療機関の医院ＩＤを使って前記患者が入力した予約データを医院ＩＤ毎に格納しておく外食データベースと、
患者がアクセスするための患者識別コードと前記患者がかかりつけとする医療機関の医院ＩＤ、および個別の医院ＩＤが割り振られた医療機関がアクセスするための医療機関用の個別のアクセスコードを格納した認証手段と、
個別の医院ＩＤが割り振られたかかりつけの医療機関から通知対象の患者識別コードの患者へ送るための通知情報を医院ＩＤ毎に格納しておく通知データベースとを有し、管理センターに設置されるサーバと、
ネットワークを介し、患者本人の患者識別コードおよびかかりつけの医療機関の医院ＩＤを使って前記サーバへアクセス可能な各患者端末と、
前記ネットワークを介し、自己の医療機関の個別のアクセスコードを使って前記サーバへアクセス可能な各医療機関端末とを備える日常生活改善システムであって、
所定の医院ＩＤの医療機関をかかりつけとする患者は、前記患者端末から前記サーバの前記検査データベース、前記診療データベース、前記通知データベース、および前記外食データベースに格納されている前記医院ＩＤの自分の患者識別コードに係る前記結果履歴、前記診療録、前記通知情報、および前記予約データを閲覧可能であるとともに、
前記患者端末から前記サーバの前記食事データベースに格納されている前記医院ＩＤの自分の患者識別コードに係る前記摂取履歴への新規書込、および前記外食データベースへの予約書込が可能であり、
個別の医院ＩＤが割り振られた前記医療機関は、前記医療機関端末から前記サーバの前記検査データベース、前記診療データベース、および前記通知データベースに格納されている前記医院ＩＤの患者識別コードに係る前記結果履歴、前記診療録、前記通知情報、および前記予約データへの書込や閲覧が可能であるとともに、前記サーバの前記食事データベースに格納されている前記医院ＩＤの患者識別コードに係る前記摂取履歴の閲覧が可能であり、
患者が前記患者端末から患者本人の患者識別コードおよびかかりつけの医療機関の医院ＩＤを使って前記サーバへアクセスを行った際に、前記医院ＩＤの患者識別コードに係る更新された通知情報が前記通知データベースに有る場合には、前記認証手段が前記患者端末へ有る旨を報知することを特徴とする日常生活改善システム。
【発明の詳細な説明】
【技術分野】
【０００１】
本発明は、患者が医療機関からネットワークを介して日常生活改善のためのアドバイスを受けることができる日常生活改善システムに関する。
【背景技術】
【０００２】
特許文献１には、健康情報供給システムが開示されている。
特許文献２には、健康管理支援システムが開示されている。
特許文献３には、健康指導システムが開示されている。
特許文献４には、栄養指導システムが開示されている。
特許文献５には、情報システムを用いた栄養管理システムが開示されている。
特許文献６には、疾病管理システムが開示されている。
特許文献７には、在宅療養者支援システムが開示されている。
特許文献８には、医療機関端末と、生活指導支援装置と、外部スタッフ端末装置とを備えた生活支援システムが開示されている。
【先行技術文献】
【特許文献】
【０００３】
【特許文献１】特開２００２−１１７１４９号公報
【特許文献２】特開２００２−３１２４８６号公報
【特許文献３】特開平７−１７５４０４号公報
【特許文献４】特開２００３−２２８６２６号公報
【特許文献５】特開２００１−３１８９９１号公報
【特許文献６】特開２００２−１６３３７４号公報
【特許文献７】特開２００３−１０８６７９号公報
【特許文献８】特開２００５−１０７６２５号公報
【発明の概要】
【発明が解決しようとする課題】
【０００４】
上記特許文献１−８は、下記の課題を有する。
上記従来のシステムは、患者がネットワークを介してサーバにアクセスした際、日常生活改善のためのアドバイスが届いているか否か判り難いとともに、必要な食生活情報を医療機関へ提供し忘れるという課題がある。
【０００５】
本発明の目的は、患者が患者端末からネットワークを介してサーバにアクセスした際に、かかりつけの医療機関からの通知情報が有るか否かが容易に判る日常生活改善システムの提供にある。
【課題を解決するための手段】
【０００６】
（請求項１について）
日常生活改善システムは、検査データベース、診療データベース、食事データベース、および通知データベースを有し、管理センターに設置されるサーバと、ネットワークを介してサーバへアクセス可能な複数の患者端末と、ネットワークを介してサーバへアクセス可能な複数の医療機関端末とを備える。
【０００７】
サーバの検査データベースには、固有の患者識別コードが割り振られた患者が、個別の医院ＩＤが割り振られたかかりつけの医療機関で定期的に受けた生理学的検査の結果履歴が医院ＩＤ毎に格納されている。
サーバの診療データベースには、固有の患者識別コードが割り振られた患者が、個別の医院ＩＤが割り振られたかかりつけの医療機関へ来院した際に行った診察や治療に関する診療録が医院ＩＤ毎に格納されている。
【０００８】
サーバの食事データベースには、固有の患者識別コードが割り振られた患者が食事で摂取した食品の種類、量、日時に関する摂取履歴がかかりつけの医療機関の医院ＩＤ毎に格納されている。
サーバの通知データベースには、個別の医院ＩＤが割り振られたかかりつけの医療機関から通知対象の患者識別コードの患者へ送るための通知情報が医院ＩＤ毎に格納されている。
【０００９】
所定の医院ＩＤの医療機関をかかりつけとする患者は、患者端末からサーバの食事データベースに格納されている医院ＩＤの自分の患者識別コードに係る摂取履歴への新規書込が可能であり、患者端末からネットワークを介してサーバの食事データベースへ、食事の際に摂取した食品の種類、量、日時を書き込む。
【００１０】
個別の医院ＩＤが割り振られた医療機関は、医療機関端末からサーバの検査データベース、診療データベース、および通知データベースに格納されている自己の医療機関をかかりつけとする患者の患者識別コードに係る結果履歴、診療録、および通知情報への書込や閲覧が可能であり、患者に生理学的検査、診察や治療を行った場合には、医療機関端末からネットワークを介して、サーバの検査データベースへ患者の生理学的検査の結果を書き込み、診療データベースへ患者の診察や治療に関する診療内容を書き込み、通知データベースへ通知対象の患者へ送るための通知内容を書き込む。
【００１１】
所定の医院ＩＤの医療機関をかかりつけとする患者は、患者端末からサーバの検査データベース、診療データベース、および通知データベースに格納されている医院ＩＤの自分の患者識別コードに係る結果履歴、診療録、および通知情報が閲覧可能であり、患者端末からネットワークを介してサーバの検査データベースの生理学的検査の結果を閲覧し、診療データベースの診療録、および通知データベースの通知情報を閲覧する。
【００１２】
患者が通知データベースの通知情報を閲覧すれば、摂取履歴に基づく食生活指導の有無、生理学的検査の結果履歴や診療録が更新されているかどうか、検査データベースに格納されている検査結果や診療データベースに格納されている診療録を見ることなく容易に判る。
【００１３】
個別の医院ＩＤが割り振られた医療機関は、医療機関端末からネットワークを介して、サーバの食事データベースに格納されている医院ＩＤの患者識別コードに係る摂取履歴の閲覧が可能であり、閲覧した摂取履歴から食生活指導する必要がある場合には、通知対象の患者識別コードの患者へ送るための通知情報としての食生活指導を通知データベースへ書き込む。
【００１４】
医療機関は、食事の際に摂取した食品の種類、量、日時を、患者が、サーバの食事データベースへ書き込んだ摂取履歴を見ることにより、患者の健康管理を行うのに必要な情報量が増え、適切な治療を行うことができる。
また、通知データベースへ患者へ送るための通知情報を書き込んで患者に食生活指導することができる。
【００１５】
患者は、自分の患者端末からサーバにアクセスして、かかりつけの医療機関で受けた生理学的検査の結果履歴や、かかりつけの医療機関へ来院した際に行った診察や治療に関する診療録を閲覧することにより、自宅等で任意の時間に、自分に対して行われた診察や治療の内容を確認できるとともに、自分の健康状態の推移を正確に把握できる。
また、医療機関が書き込んだ、食生活指導等の通知情報を参考にして食生活を改善することができる。
【００１６】
（請求項２について）
日常生活改善システムは、検査データベース、診療データベース、食事データベース、通知データベース、および認証手段を有し、管理センターに設置されるサーバと、ネットワークを介し、患者本人の患者識別コードおよびかかりつけの医療機関の医院ＩＤを使ってサーバへアクセス可能な各患者端末と、ネットワークを介し、自己の医療機関の個別のアクセスコードを使ってサーバへアクセス可能な各医療機関端末とを備える。
【００１７】
サーバの検査データベースには、固有の患者識別コードが割り振られた患者が、個別の医院ＩＤが割り振られたかかりつけの医療機関で定期的に受けた生理学的検査の結果履歴が医院ＩＤ毎に格納されている。
サーバの診療データベースには、固有の患者識別コードが割り振られた患者が、個別の医院ＩＤが割り振られたかかりつけの医療機関へ来院した際に行った診察や治療に関する診療録が医院ＩＤ毎に格納されている。
【００１８】
サーバの食事データベースには、固有の患者識別コードが割り振られた患者が食事で摂取した食品の種類、量、日時に関する摂取履歴がかかりつけの医療機関の医院ＩＤ毎に格納されている。
サーバの通知データベースには、個別の医院ＩＤが割り振られたかかりつけの医療機関から通知対象の患者識別コードの患者へ送るための通知情報が医院ＩＤ毎に格納されている。
【００１９】
サーバの認証手段には、患者がアクセスするための患者識別コードと患者がかかりつけとする医療機関の医院ＩＤ、および個別の医院ＩＤが割り振られた医療機関がアクセスするための医療機関用の個別のアクセスコードが格納されている。
【００２０】
所定の医院ＩＤの医療機関をかかりつけとする患者は、患者端末からネットワークを介してサーバの食事データベースに格納されている医院ＩＤの自分の患者識別コードに係る摂取履歴への新規書込が可能であり、患者端末からネットワークを介してサーバの食事データベースへ、食事の際に摂取した食品の種類、量、日時を書き込む。
【００２１】
個別の医院ＩＤが割り振られた医療機関は、医療機関端末からサーバの検査データベース、診療データベース、および通知データベースに格納されている医院ＩＤの患者識別コードに係る結果履歴、診療録、および通知情報への書込や閲覧が可能であり、患者に生理学的検査、診察や治療を行った場合には、医療機関端末からネットワークを介して、サーバの検査データベースへ患者の生理学的検査の結果を書き込み、診療データベースへ患者の診察や治療に関する診療内容を書き込み、通知データベースへ通知対象の患者へ送るための通知情報を書き込む。
【００２２】
所定の医院ＩＤの医療機関をかかりつけとする患者は、患者端末からネットワークを介してサーバの検査データベース、診療データベース、および通知データベースに格納されている医院ＩＤの自分の患者識別コードに係る結果履歴、診療録、および通知情報が閲覧可能である。
【００２３】
そして、患者が患者端末から患者本人の患者識別コードおよびかかりつけの医療機関の医院ＩＤを使ってサーバへネットワークを介してアクセスを行った際に、医院ＩＤの患者識別コードに係る更新された通知情報が通知データベースに有る場合には、認証手段が患者端末へ有る旨を報知する。
【００２４】
このため、サーバへアクセスを行った際の報知の有無により、摂取履歴に基づくアドバイスがあるかどうか、生理学的検査の結果履歴や診療録が更新されているかどうかが、通知データベースに格納されている通知情報、検査データベースに格納されている結果履歴、または診療データベースに格納されている診療録を見ることなく容易に判る。
【００２５】
医療機関は、食事の際に摂取した食品の種類、量、日時を患者がサーバの食事データベースへ書き込んだ摂取履歴を見ることにより、患者の健康管理を行うのに必要な情報量が増え、適切な治療を行うことができる。
また、通知データベースへ患者へ送るための通知情報を書き込んで患者に食生活指導することができる。
【００２６】
患者は、自分の患者端末からサーバにアクセスして、かかりつけの医療機関で受けた生理学的検査の結果履歴や、かかりつけの医療機関へ来院した際に行った診察や治療に関する診療録を閲覧することにより、自宅等で任意の時間に、自分に対して行われた診察や治療の内容を確認できるとともに、自分の健康状態の推移を正確に把握できる。
また、医療機関が書き込んだ、食生活指導などの通知情報を参考にして食生活を改善することができる。
【００２７】
（請求項３について）
日常生活改善システムは、検査データベース、診療データベース、食事データベース、外食データベース、および通知データベースを有し、管理センターに設置されるサーバと、ネットワークを介してサーバへアクセス可能な複数の患者端末と、ネットワークを介してサーバへアクセス可能な複数の医療機関端末とを備える。
【００２８】
サーバの検査データベースには、固有の患者識別コードが割り振られた患者が、個別の医院ＩＤが割り振られたかかりつけの医療機関で定期的に受けた生理学的検査の結果履歴が医院ＩＤ毎に格納されている。
サーバの診療データベースには、固有の患者識別コードが割り振られた患者が、個別の医院ＩＤが割り振られたかかりつけの医療機関へ来院した際に行った診察や治療に関する診療録が医院ＩＤ毎に格納されている。
【００２９】
サーバの食事データベースには、固有の患者識別コードが割り振られた患者が食事で摂取した食品の種類、量、日時に関する摂取履歴がかかりつけの医療機関の医院ＩＤ毎に格納されている。
サーバの外食データベースには、加盟している飲食店が提示した、来店可能日時および提供可能な飲食物の種類のリストに基づいて、患者本人の患者識別コードおよびかかりつけの医療機関の医院ＩＤを使って患者が入力した予約データが医院ＩＤ毎に格納されている。
【００３０】
所定の医院ＩＤの医療機関をかかりつけとする患者は、患者端末からネットワークを介してサーバの食事データベースに格納されている医院ＩＤの自分の患者識別コードに係る摂取履歴への新規書込が可能であり、患者端末からネットワークを介してサーバの食事データベースへ、食事の際に摂取した食品の種類、量、日時を書き込む。
また、所定の医院ＩＤの医療機関をかかりつけとする患者が、飲食店で外食したい場合には、患者本人の患者識別コードおよびかかりつけの医療機関の医院ＩＤを使い、飲食店が提示したリストに基づいて外食データベースへ予約の書き込みを行う。
【００３１】
個別の医院ＩＤが割り振られた医療機関は、医療機関端末からサーバの検査データベース、診療データベース、通知データベース、および外食データベースに格納されている自己の医療機関をかかりつけとする患者の患者識別コードに係る結果履歴、診療録、通知情報、および予約データへの書込や閲覧が可能であり、患者に生理学的検査、診察や治療を行った場合には、医療機関端末からネットワークを介して、サーバの検査データベースへ患者の生理学的検査の結果を書き込み、診療データベースへ患者の診察や治療に関する診療内容を書き込み、通知データベースへ通知対象の患者へ送るための通知情報（予約の確認結果や食生活指導等）を書き込み、外食データベースへ予約の確認が取れたかどうかを書き込む。
【００３２】
所定の医院ＩＤの医療機関をかかりつけとする患者は、患者端末からサーバの検査データベース、診療データベース、通知データベース、および外食データベースに格納されている医院ＩＤの自分の患者識別コードに係る結果履歴、診療録、通知情報、予約データが閲覧可能であり、患者端末からネットワークを介してサーバの検査データベースの生理学的検査の結果を閲覧し、診療データベースの診療録、通知データベースの通知情報、外食データベースの予約データを閲覧する。
【００３３】
患者が通知データベースの通知情報を閲覧すれば、摂取履歴に基づく食生活指導の有無、予約が取れたかどうか、生理学的検査の結果履歴や診療録が更新されているかどうか、検査データベースに格納されている検査結果や診療データベースに格納されている診療録を見ることなく容易に判る。
【００３４】
個別の医院ＩＤが割り振られた医療機関は、医療機関端末からネットワークを介して、サーバの食事データベースに格納されている医院ＩＤの患者識別コードに係る摂取履歴の閲覧が可能であり、閲覧した摂取履歴から食生活指導する必要がある場合には、通知対象の患者識別コードの患者へ送るための通知情報としての食生活指導を通知データベースへ書き込む。
【００３５】
また、個別の医院ＩＤが割り振られた医療機関は、医療機関端末からネットワークを介して、サーバの外食データベースに格納されている、自己の医療機関をかかりつけとする患者の予約データの閲覧が可能であり、更新された予約データがある場合には、医療機関側の栄養士が作った、その患者にとって好適な献立メニューを飲食店へ送り、予約が可能かどうかの確認結果を、外食データベースおよび通知対象の患者識別コードの患者へ送るための通知情報として通知データベースへ書き込む。
【００３６】
医療機関は、食事の際に摂取した食品の種類、量、日時を患者がサーバの食事データベースへ書き込んだ摂取履歴を閲覧することにより、患者の健康管理を行うのに必要な情報量が増え、適切な治療を行うことができる。また、通知データベースへ、通知対象の患者へ送るための通知情報を書き込んで、患者に食生活指導を行うことができる。
【００３７】
患者は、自分の患者端末からサーバにアクセスして、かかりつけの医療機関で受けた生理学的検査の結果履歴や、かかりつけの医療機関へ来院した際に行った診察や治療に関する診療録を閲覧することにより、自宅等で任意の時間に、自分に対して行われた診察や治療の内容を確認できるとともに、自分の健康状態の推移を正確に把握できる。また、医療機関が書き込んだ食生活指導等の通知情報としてのアドバイスを参考にして食生活を改善することができる。
【００３８】
（請求項４について）
日常生活改善システムは、検査データベース、診療データベース、食事データベース、外食データベース、通知データベース、および認証手段を有し、管理センターに設置されるサーバと、ネットワークを介し、患者本人の患者識別コードおよびかかりつけの医療機関の医院ＩＤを使ってサーバへアクセス可能な各患者端末と、ネットワークを介し、自己の医療機関の個別のアクセスコードを使ってサーバへアクセス可能な各医療機関端末とを備える。
【００３９】
サーバの検査データベースには、固有の患者識別コードが割り振られた患者が、個別の医院ＩＤが割り振られたかかりつけの医療機関で定期的に受けた生理学的検査の結果履歴が医院ＩＤ毎に格納されている。
サーバの診療データベースには、固有の患者識別コードが割り振られた患者が、個別の医院ＩＤが割り振られたかかりつけの医療機関へ来院した際に行った診察や治療に関する診療録が医院ＩＤ毎に格納されている。
【００４０】
サーバの食事データベースには、固有の患者識別コードが割り振られた患者が食事で摂取した食品の種類、量、日時に関する摂取履歴がかかりつけの医療機関の医院ＩＤ毎に格納されている。
サーバの外食データベースには、加盟している飲食店が提示した、来店可能日時および提供可能な飲食物の種類のリストに基づいて、患者本人の患者識別コードおよびかかりつけの医療機関の医院ＩＤを使って患者が入力した予約データが医院ＩＤ毎に格納されている。
【００４１】
サーバの認証手段には、患者がアクセスするための患者識別コードと患者がかかりつけとする医療機関の医院ＩＤ、および個別の医院ＩＤが割り振られた医療機関がアクセスするための医療機関用の個別のアクセスコードが格納されている。
サーバの通知データベースには、個別の医院ＩＤが割り振られたかかりつけの医療機関から通知対象の患者識別コードの患者へ送るための通知情報が医院ＩＤ毎に格納されている。
【００４２】
所定の医院ＩＤの医療機関をかかりつけとする患者は、患者端末からサーバの食事データベースに格納されている医院ＩＤの自分の患者識別コードに係る摂取履歴への新規書込が可能であり、患者端末からネットワークを介してサーバの食事データベースへ、食事の際に摂取した食品の種類、量、日時を書き込む。
また、所定の医院ＩＤの医療機関をかかりつけとする患者が、飲食店で外食したい場合には、患者本人の患者識別コードおよびかかりつけの医療機関の医院ＩＤを使い、飲食店が提示したリストに基づいて外食データベースへ予約の書き込みを行う。
【００４３】
個別の医院ＩＤが割り振られた医療機関は、医療機関端末からサーバの検査データベース、診療データベース、通知データベース、および外食データベースに格納されている自己の医療機関をかかりつけとする患者の患者識別コードに係る結果履歴、診療録、通知情報、および予約データへの書込や閲覧が可能であり、患者に生理学的検査、診察や治療を行った場合には、医療機関端末からネットワークを介して、サーバの検査データベースへ患者の生理学的検査の結果を書き込み、診療データベースへ患者の診察や治療に関する診療内容を書き込み、通知データベースへ通知対象の患者へ送るための通知情報（予約の確認結果や食生活指導等）を書き込む。
【００４４】
所定の医院ＩＤの医療機関をかかりつけとする患者は、患者端末からサーバの検査データベース、診療データベース、通知データベース、および外食データベースに格納されている医院ＩＤの自分の患者識別コードに係る結果履歴、診療録、通知情報、および予約データが閲覧可能である。
【００４５】
そして、患者が患者端末からネットワークを介して患者本人の患者識別コードおよびかかりつけの医療機関の医院ＩＤを使ってサーバへアクセスを行った際に、医院ＩＤの患者識別コードに係る更新された通知情報が通知データベースにある場合には、認証手段が患者端末へ有る旨を報知する。
【００４６】
このため、患者が患者端末からサーバへアクセスを行った際の報知の有無により、予約が取れたかどうかの確認結果や摂取履歴に基づいた医療機関からの食生活指導等があるかどうか、生理学的検査の結果履歴や診療録が変更されているかどうかが、通知データベースに格納されている通知情報、検査データベースに格納されている検査結果、または診療データベースに格納されている診療録を見ることなく容易に判る。
【００４７】
また、個別の医院ＩＤが割り振られた医療機関は、医療機関端末からネットワークを介して、サーバの外食データベースに格納されている、自己の医療機関をかかりつけとする患者の予約データの閲覧が可能であり、更新された予約データがある場合には、医療機関側の栄養士が作った、その患者にとって好適な献立メニューを飲食店へ送り、予約が可能かどうかの確認結果を、外食データベースおよび通知対象の患者識別コードの患者へ送るための通知情報として通知データベースへ書き込む。
【００４８】
医療機関は、食事の際に摂取した食品の種類、量、日時を患者がサーバの食事データベースへ書き込んだ摂取履歴を閲覧することにより、患者の健康管理を行うのに必要な情報量が増え、適切な治療を行うことができる。また、通知データベースへ、通知対象の患者へ送るための通知情報を書き込んで、患者に食生活指導を行うことができる。
【００４９】
患者は、自分の患者端末からサーバにアクセスして、かかりつけの医療機関で受けた生理学的検査の結果履歴や、かかりつけの医療機関へ来院した際に行った診察や治療に関する診療録を閲覧することにより、自宅等で任意の時間に、自分に対して行われた診察や治療の内容を確認できるとともに、自分の健康状態の推移を正確に把握できる。また、医療機関が書き込んだ通知情報（予約の確認結果や食生活指導等）を見れば、予約が取れたかどうかの確認ができるとともに、食生活指導を参考に食生活を改善することができる。
【図面の簡単な説明】
【００５０】
【図１】実施例１にかかる日常生活改善システムの構成図である。
【図２】その日常生活改善システムのサーバに格納された、各医院をかかりつけとする患者の各種データの格納状態を示す説明図である。
【図３】患者識別コードｔａｒｏの患者太郎が、医院ＩＤがｗｗｄの東風医院へ通院している場合において、検査データベースの検査履歴を患者端末のブラウザで閲覧した場合の画面表示を示す説明図である。
【図４】患者識別コードｔａｒｏの患者太郎が、医院ＩＤがｗｗｄの東風医院へ通院している場合において、診療データベースに格納されている診療録を患者端末のブラウザで閲覧した場合の画面表示を示す説明図である。
【図５】患者識別コードｔａｒｏの患者太郎が、医院ＩＤがｗｗｄの東風医院をかかりつけとしている場合において、食事データベースの摂取履歴入力画面を患者端末のブラウザで閲覧した場合の画面表示を示す説明図である。
【図６】患者識別コードｔａｒｏの患者太郎が、医院ＩＤがｗｗｄの東風医院へ通院している場合において、外食データベースの外食予約画面を患者端末のブラウザで閲覧した場合の画面表示を示す説明図である。
【図７】患者識別コードｔａｒｏの患者太郎が、医院ＩＤがｗｗｄの東風医院をかかりつけとしている場合において、患者端末から通知データベースの通知画面にアクセスした際に患者端末のブラウザに表示される画面表示を示す説明図である。
【図８】（ａ）は患者端末からサーバへ接続した際のログイン画面の説明図であり、（ｂ）は患者識別コードｔａｒｏの患者太郎のマイページ画面の説明図であり、（ｃ）は医院ＩＤがｗｗｄの東風医院の管理ページの説明図であり、（ｄ）は東風医院の患者（患者太郎）管理画面の説明図である。
【発明を実施するための形態】
【００５１】
本発明の日常生活改善システムは、システム管理センター内に設置されるサーバへ、インターネット回線を介してアクセス可能な患者端末および医療機関端末を備え、患者が患者端末から患者本人の患者識別コードおよびかかりつけの医療機関の医院ＩＤを使ってサーバへアクセスを行った際に、更新された通知情報が通知データベースに有る場合には、認証手段が患者端末のブラウザに『通知があります』と表示する。
このため、生理学的検査の検査履歴に更新、診療録に更新、予約が取れたかどうかの確認結果、摂取履歴の記入忘れ、医療機関からの食生活指導等の更新の内、何れか一つ以上が有ることが判り使い勝手が良い。
【実施例１】
【００５２】
本発明の実施例１を図１〜図８に基づいて説明する。
図１に示す如く、日常生活改善システムＡは、システム管理センター（図示せず）内に設置されるサーバ１と、インターネット回線１０を介してサーバ１へアクセス可能な患者端末２、２…と、インターネット回線１０を介してサーバ１へアクセス可能な医療機関端末３、３…とを備える。
【００５３】
サーバ１は、ＣＰＵ２１、メモリ２２、ビデオカード２３、サウンドカード２４、ＬＡＮカード２５を組み付けたマザーボード２０と、サーバＯＳ２６、日常生活改善用の運用ソフト、および各種ドライバ２７をインストールしたＨＤＤ２８と、マザーボード２０のシリアルポートに接続したＤＶＤドライブと、マザーボード２０に作動用電力を供給するための電源と、マザーボード２０のＩ／Ｏポートに接続されるマウスおよびキーボードと、ビデオカード２３に接続されるモニタと、サウンドカード２４に接続されるアンプ付きスピーカーとを備える。
そして、ＬＡＮケーブルによりＬＡＮカード２５とルータ（図示せず）とが接続され、サーバ１にドメイン名と固定アドレスが割り振られ、インターネット回線１０を介してドメイン名でアクセス可能になっている。
【００５４】
サーバＯＳ２６と日常生活改善用の運用ソフトとにより、ＨＤＤ２８の記憶領域内にＷｅｂサーバ層１１、Ｗｅｂアプリケーション層１２、およびデータベース層１３が構築されている。
認証手段１１ａを有するＷｅｂサーバ層１１は、インターネット回線１０を介してサーバ１へアクセスしてくる、患者端末２、２…や医療機関端末３、３…のウェブブラウザからのｈｔｔｐによるアクセス要求を分散処理する。
【００５５】
Ｗｅｂサーバ層１１の認証手段１１ａには、患者がアクセスするための患者識別コードと患者がかかりつけとする医療機関の医院ＩＤ、および個別の医院ＩＤが割り振られた医療機関がアクセスするための医療機関用の個別のアクセスコードが格納されている。
【００５６】
例えば、ｗｗｄの医院ＩＤを割り振られた東風医院をかかりつけとする患者の氏名が患者太郎の場合には患者固有の患者識別コードにｔａｒｏが割り振られ、ｓｗｄの医院ＩＤを割り振られた南風医院をかかりつけとする患者の氏名が疲労花子の場合には患者固有の患者識別コードにｈａｎａが割り振られ、ｅｗｄの医院ＩＤを割り振られた西風医院をかかりつけとする患者の氏名が苦労一郎の場合には患者固有の患者識別コードにｉｃｈが割り振られている。
【００５７】
また、例えば、ｗｗｄの医院ＩＤを割り振られた東風医院の個別のアクセスコードはｗｗｄ１２３４とされ、ｓｗｄの医院ＩＤを割り振られた南風医院の個別のアクセスコードはｓｗｄ５６７８とされ、ｅｗｄの医院ＩＤを割り振られた西風医院の個別のアクセスコードはｅｗｄ９８７６とされる。
【００５８】
Ｗｅｂアプリケーション層１２は、ｈｔｔｐトランザクションの一貫性を保持し、システム固有の処理を行い、バックエンドでデータベース層１３へアクセスして、各データベースに格納されているデータの閲覧・書込・修正などの処理を司る。
【００５９】
データベース層１３は、システムのデータや管理情報を司り、検査データベース１３ａと、診療データベース１３ｂと、食事データベース１３ｃと、外食データベース１３ｄと、通知データベース１３ｅとを有する。
【００６０】
検査データベース１３ａには、固有の患者識別コードが割り振られた患者が、個別の医院ＩＤが割り振られたかかりつけの医療機関で定期的（例；１カ月に１回）に受けた生理学的検査の結果履歴が医院ＩＤ毎に格納されている。
例えば、図３は、肥満、高脂血症、および糖尿病の生活習慣病を患っている患者識別コードｔａｒｏの患者太郎が、医院ＩＤがｗｗｄの東風医院で定期的に生理学的検査を受けている場合において、検査データベース１３ａに格納されている検査履歴を患者端末２のブラウザで閲覧した場合の画面表示である。
【００６１】
診療データベース１３ｂには、固有の患者識別コードが割り振られた患者が、個別の医院ＩＤが割り振られたかかりつけの医療機関へ来院した際に行った診察や治療に関する診療録が医院ＩＤ毎に格納されている。
例えば、図４は、肥満、高脂血症、および糖尿病の生活習慣病を患っている患者識別コードｔａｒｏの患者太郎が、医院ＩＤがｗｗｄの東風医院へ通院している場合において、診療データベース１３ｂに格納されている診療録を患者端末２のブラウザで閲覧した場合の画面表示である。
【００６２】
食事データベース１３ｃには、固有の患者識別コードが割り振られた患者が食事で摂取した食品の種類、量、日時を、サーバの食事データベース１３ｃへ書き込んだ摂取履歴が、かかりつけの医療機関の医院ＩＤ毎に格納されている。
例えば、図５は、肥満、高脂血症、および糖尿病の生活習慣病を患っている患者識別コードｔａｒｏの患者太郎が、医院ＩＤがｗｗｄの東風医院をかかりつけとしている場合において、食事データベース１３ｃのデータ入力画面を患者端末２のブラウザで閲覧した場合の画面表示である。
【００６３】
外食データベース１３ｄには、加盟している飲食店が提示した来店可能日時および提供可能な飲食物の種類のリストに基づいて、患者本人の患者識別コードおよびかかりつけの医療機関の医院ＩＤを使って患者が入力した予約データが医院ＩＤ毎に格納されている。  例えば、図６は、肥満、高脂血症、および糖尿病の生活習慣病を患っている患者識別コードｔａｒｏの患者太郎が、医院ＩＤがｗｗｄの東風医院へ通院している場合において、外食データベース１３ｄの外食予約画面を患者端末２のブラウザで閲覧した場合の画面表示である。
【００６４】
通知データベース１３ｅには、個別の医院ＩＤが割り振られた医療機関から、該医療機関をかかりつけとする通知対象の患者識別コードの患者へ送るための通知情報が医院ＩＤ毎に格納されている。
例えば、図７は、肥満、高脂血症、および糖尿病の生活習慣病を患っている患者識別コードｔａｒｏの患者太郎が、医院ＩＤがｗｗｄの東風医院をかかりつけとしている場合において、患者端末２から通知データベース１３ｅにアクセスした際に患者端末２のブラウザに表示される通知情報の表示画面である。
【００６５】
なお、未読のものは、□の中が空欄で通知文の下にリンク線が付く様になっており、リンク線をクリックして該当するデータベースへアクセスして既読になると、次回のアクセス時には、□の中にレ印が付く様になっている。また、既読のものは、一定機関経過後したり、表示数が多くなると古いものから削除される。
【００６６】
日常生活改善システムＡは、以下の様にして運用される。
患者が、パソコンやモバイル機等の患者端末２のブラウザを立ち上げ、Ｂｏｏｋｍａｒｋからか、ｕｒｌ入力欄へサーバ１のｕｒｌを入力して、インターネット回線１０を介してサーバ１へ接続すると、患者端末２のブラウザには図８の（ａ）に示すログイン画面が表示される。
また、医療機関が医療機関端末３（パソコンが好適）のブラウザを立ち上げ、Ｂｏｏｋｍａｒｋからか、ｕｒｌ入力欄へサーバ１のｕｒｌを入力して、インターネット回線１０を介して接続すると、医療機関端末３のブラウザには図８の（ａ）に示すログイン画面が表示される。
【００６７】
この状態で、例えば、医院ＩＤがｗｗｄの東風医院をかかりつけとする患者識別コードｔａｒｏの患者太郎が、医院ＩＤの入力欄へｗｗｄを入力し、コードの入力欄へｔａｒｏと入力してログインタグをクリックする。
また、医院ＩＤがｗｗｄの東風医院が、医院ＩＤの入力欄へｗｗｄを入力し、コードの入力欄へｗｗｄ１２３４と入力してログインタグをクリックする。
【００６８】
患者識別コードｔａｒｏの患者太郎がログインした場合には、図８の（ｂ）に示す様に、患者名、医院名、およびナース画像の他、『通知ページへ』、『検査履歴』、『診療録』、『摂取入力』、『予約』、『その他』、ログイン画面へ戻るための『戻る』へページ移動するための下線付リングが貼られた患者太郎のマイページ画面が患者端末２のブラウザに表示される。そして、患者コードｔａｒｏに係る更新された通知情報が通知データベース１３ｅにある場合には、認証手段１１ａが患者端末２のブラウザの、『通知ページへ』の左側へ、『通知があります』が表示される｛図８の（ｂ）参照｝。
【００６９】
また、医院ＩＤがｗｗｄの東風医院がログインした場合には、図８の（ｃ）に示す様に、医療機関端末３のブラウザに、患者コード入力欄と『戻る』へページ移動するための下線付リングが貼られた東風医院の管理者ページが表示される。
患者コード入力欄へ、患者太郎の患者コード、ｔａｒｏを入力してログインした場合には、医療機関端末３のブラウザには、図８の（ｄ）に示す様に、『通知情報の書込・修正』、『検査履歴の書込・修正』、『診療録の書込・修正』、『摂取履歴の閲覧』、『予約データの閲覧』、ログイン画面へ戻るための『戻る』へページ移動するための下線付リングが貼られた東風医院用の患者太郎のページが表示される。
【００７０】
図８の（ｂ）において、『通知があります』表示を患者太郎が見て、『通知ページへ』のリンクをクリックすると、図７に示す患者太郎の通知情報の表示ページへ移動する。
□の中が空欄で通知文の下にリンク線が付いた未読のもののリンク線をクリックして該当するデータベースへアクセスすることにより、該当する詳細な説明または情報にアクセスすることができる。
【００７１】
例えば、『検査履歴』の、未読の『□  １月分  記載されています』をクリックすると、図３に示す検査履歴ページへ移動して、自分（患者太郎）の検査データベースの１月分を含む検査履歴を閲覧することができる。
また、『診療録』の、未読の『□  １／２１  来院時までの診察データが記載されています』をクリックすると、図４に示す診療録ページへ移動して、自分（患者太郎）の１／２１来院時までの診察データを閲覧することができる。
【００７２】
また、『予約』の、未読の『□  ２／１９  の予約確認が取れています』や『□  ２／２０  の予約確認が取れています』をクリックすると、図６に示す外食データベースページへ移動して、２／１９や２／２０の予約を確認することができる。
また、『摂取』の、未読の『□  １／３０  分を記入して下さい』をクリックすると、図５に示す摂取ページへ移動して、摂取履歴を閲覧することができるとともに、入力し忘れていた１／３０  分の記入を促される。
また、『食生活指導』には、東風医院が食生活指導として書き込んだ、『食べ過ぎです』や『血圧は正常に向かっています』や『糖と蛋白が出ています』が表示される。
【００７３】
所定の医院ＩＤの医療機関をかかりつけとする患者は、患者端末２からサーバ１の食事データベース１３ｃに格納されている医院ＩＤの自分の摂取履歴への新規書込が可能であり、患者端末２からインターネット回線１０を介してサーバ１の食事データベースへ、食事の際に摂取した食品の種類、量、日時を書き込む。
例えば、図８の（ｂ）の患者太郎のページから『摂取入力』をクリックして、患者コードがｔａｒｏの患者太郎が、図５に示す、食事データベース１３ｃのデータ入力画面を患者端末２のブラウザに表示させ、食事の際に摂取した食品の種類、量、日時を書き込み、『決定』をクリックする。なお、一度、『決定』をクリックすると、該当日の摂取内容の修正が不可になる。
なお、摂取入力の記入漏れを防止するため、各患者が予め登録しておいたメールアドレス（携帯用またはパソコン用）へ、“入力忘れは有りませんか？”の文面のメールが毎日２０時にサーバ１から送信される。
【００７４】
所定の医院ＩＤの医療機関をかかりつけとする患者が、外食予約をしたい場合には、患者本人の患者識別コードおよびかかりつけの医療機関の医院ＩＤを使い、飲食店が提示したリストに基づいて外食データベース１３ｄへ予約の書き込みを行う。
例えば、図８の（ｂ）の患者太郎のページから『予約』をクリックして、患者コードがｔａｒｏの患者太郎が、図６に示す、外食データベース１３ｄの予約データ入力画面を患者端末２のブラウザに表示させ、飲食店が提示した来店可能日時および提供可能な飲食物の種類のリストを参考にして、飲食店名の予約欄へ希望日時を書き込み、『決定』をクリックする。
【００７５】
図８の（ｂ）の患者太郎のページの『その他』をクリックすると、ＳＮＳコミュニュティ（糖尿病患者仲間、脂質代謝異常仲間、肥満仲間、骨粗症仲間、ドクターとの対話、栄養士との対話）、加盟スポーツクラブ、病例別お勧めレシピ、システム説明、Ｑ＆Ａ、加盟飲食店名、提携医療機関名の各ページへ移動可能である。
例えば、加盟スポーツクラブのページで、患者である患者太郎が何れかのスポーツクラブを提携先に設定すると、自分に適した運動処方の運動プログラムがスポーツクラブで受けられる。この運動処方は、医療機関側からスポーツクラブへ送られた、患者が受けた生理学的検査の結果履歴、患者の診察や治療に関する診療録、患者が摂取した食品の摂取履歴、および患者への食生活指導の各データに基づいてメディカルトレーナが作成したものである。
【００７６】
一方、個別の医院ＩＤが割り振られた医療機関は、医療機関端末３からサーバ１の検査データベース１３ａ、診療データベース１３ｂ、通知データベース１３ｅ、および外食データベース１３ｄに格納されている自己の医療機関をかかりつけとする患者識別コードを持つ患者の結果履歴、診療録、通知情報、および予約データへの書込や閲覧が可能であり、患者に生理学的検査、診察や治療を行った場合には、医療機関端末３からインターネット回線１０を介して、サーバ１の検査データベース１３ａへ患者の生理学的検査の結果を書き込み、診療データベース１３ｂへ患者の診察や治療に関する診療内容を書き込み、通知データベース１３ｅへ通知対象の患者へ送るための通知情報（予約の確認結果や食生活指導等）を書き込む。
なお、データベースが更新された場合には、各患者が予め登録しておいたメールアドレス（携帯用またはパソコン用）へ更新された旨のメールをサーバ１が送信する。
【００７７】
例えば、医院ＩＤがｗｗｄの自己の東風医院をかかりつけとする患者識別コードｔａｒｏの患者太郎に対して生理学的検査を行った場合には、医療機関端末３のブラウザから、図８の（ｄ）の患者別管理画面の『検査履歴の書込・修正』をクリックして、サーバ１の検査データベース１３ａの検査履歴（図３参照）へ、患者識別コードｔａｒｏの患者太郎の生理学的検査の結果を書き込む。
【００７８】
医院ＩＤの医療機関をかかりつけとする患者に対して診察や治療を行った場合には、医療機関端末３からインターネット回線１０を介して、サーバ１の診療データベース１３ｂへ患者の診察や治療に関する診療内容を書き込む。
【００７９】
例えば、医院ＩＤがｗｗｄの東風医院をかかりつけとする患者識別コードｔａｒｏの患者太郎に対して東風医院が診察や治療を行った場合には、医療機関端末３のブラウザから、図８の（ｄ）の画面の『診療録の書込・修正』をクリックして、サーバ１の診療データベース１３ｂの診療録（図４参照）へ、患者太郎の診察や治療に関する診療内容を書き込む。
【００８０】
医院ＩＤの医療機関をかかりつけとする患者に対して東風医院が通知を行いたい場合には、医療機関端末３からインターネット回線１０を介して、サーバ１の通知データベース１３ｅへ患者への通知情報を書き込む。
例えば、医院ＩＤがｗｗｄの自己の東風医院をかかりつけとする患者識別コードｔａｒｏの患者太郎に対して東風医院が診察や治療を行った場合には、医療機関端末３のブラウザから、図８の（ｄ）の画面の『通知情報の書込・修正』をクリックして、サーバ１の通知データベース１３ｅへ患者太郎へ通知するための通知情報を書き込む。なお、通知内容は、患者太郎の摂取履歴、結果履歴、および診療録に基づいて東風医院が作成する。
【００８１】
例えば、医院ＩＤがｗｗｄの自己の東風医院をかかりつけとする患者識別コードｔａｒｏの患者太郎に対して東風医院が『食べ過ぎです』、『血圧は正常に向かっています』、『糖と蛋白が出ています』等の食生活指導（図７参照）を、医療機関端末３のブラウザから、図８の（ｄ）の画面の『通知情報の書込・修正』をクリックして、サーバ１の通知データベース１３ｅへ患者太郎への食生活指導内容を書き込む。なお、食生活指導内容は、患者太郎の摂取履歴、結果履歴、および診療録に基づいて東風医院が作成する。
【００８２】
医院ＩＤの医療機関をかかりつけとする患者の予約を医療機関は随時チェックし、更新された予約データが外食データベース１３ｄにある場合には、患者にとって好適な食材の種類および必要量を医療機関側で決定し、それを、患者が予約を行った飲食店へ送って献立案を作成してもらう。
【００８３】
医療機関側は、患者の診療録および厚生労働省の提示する摂取基準を基に、性別、年齢、身長、活動レベルの個人データを反映させ、食品成分表から適切な食材の種類および必要量を自動で算出（担当医による修正や調整の反映も可）する。飲食店のシェフは、その食材の種類および必要量から献立案を作成し、管理栄養士がチェックする。
【００８４】
例えば、医院ＩＤがｗｗｄの東風医院をかかりつけとする患者識別コードｔａｒｏの患者太郎の予約を、医療機関端末３のブラウザから、図８の（ｄ）の画面の『予約データの閲覧』をクリックして、サーバ１の外食データベース１３ｄの予約欄をチェックし、更新された予約データがある場合には、東風医院は、患者太郎にとって好適な食材の種類および必要量を算出し、それを患者が予約を行った飲食店へ送る（ＦＡＸ等）。
【００８５】
そして、飲食店に予約確認をしてもらうとともに、その食材の種類および必要量から飲食店のシェフが献立案を作成して、管理栄養士がチェックする。
飲食店の予約確認が成され、管理栄養士のチェックが通って献立案が作成されると、医療機関端末３のブラウザから、サーバ１の患者太郎の外食データベース１３ｄの確認欄へ〇を書き込む。
【００８６】
医院ＩＤの医療機関をかかりつけとする患者の食事データベース１３ｃを、医療機関は、毎日閲覧して、各患者が食事の際に取得した食品の種類、量、日時を書き込んだ摂取履歴を吟味する。
例えば、医院ＩＤがｗｗｄの東風医院をかかりつけとする患者識別コードｔａｒｏの患者太郎の摂取履歴を、医療機関端末３のブラウザから、図８の（ｄ）の画面の『摂取履歴の閲覧』をクリックして、サーバ１の食事データベース１３ｃの摂取履歴（図５参照）を閲覧する。
【００８７】
本実施例の日常生活改善システムＡは、以下の利点を有する。
所定の医院ＩＤの医療機関をかかりつけとする患者は、患者端末２からサーバ１の検査データベース１３ａ、診療データベース１３ｂ、通知データベース１３ｅ、および外食データベース１３ｄに格納されている医院ＩＤの自分の患者識別コードに係る結果履歴、診療録、通知情報、および予約データが閲覧可能である。
例えば、医院ＩＤがｗｗｄの東風医院をかかりつけとする患者識別コードｔａｒｏの患者太郎は、患者端末２からインターネット回線１０を介して、サーバ１の検査データベース１３ａ、診療データベース１３ｂ、通知データベース１３ｅ、外食データベース１３ｄに格納されている自分の患者識別コードｔａｒｏに係る結果履歴（図３参照）、診療録（図４参照）、通知情報（図７参照）、および予約データ（図６参照）が閲覧可能である。  
【００８８】
患者が患者端末２からインターネット回線１０を介して患者本人の患者識別コードおよびかかりつけの医療機関の医院ＩＤでログインした際に、更新された通知情報が通知データベース１３ｅにある場合には、認証手段１１ａが患者端末２へ有る旨を報知する。
例えば、患者識別コードｔａｒｏの患者太郎が患者端末２からインターネット回線１０を介して患者本人の患者識別コードｔａｒｏおよびかかりつけの医療機関の医院ＩＤでログインした際に、更新された通知情報が通知データベース１３ｅにある場合には、認証手段１１ａが患者端末２へ有る旨を報知する｛図８の（ｂ）参照｝。
【００８９】
つまり、患者が患者端末２からサーバ１へアクセスを行った際のマイページに、『通知情報が有ります』が表示されている場合には、生理学的検査の結果履歴の更新、診療録の更新、予約が取れたかどうかの確認結果、摂取履歴の記入忘れ、医療機関からの食生活指導等の更新の内、何れか一つ以上が有ることが判り、『通知ページへ』をクリックして通知情報ページへ移動すれば、生理学的検査の結果履歴の更新、診療録の更新、予約が取れたかどうかの確認結果、摂取履歴の記入忘れ、医療機関からの食生活指導等の更新が確認できるので使い勝手が良い。
また、”入力忘れは有りませんか？”の文面のメールが毎日２０時にサーバ１から送信され、且つ、データベースの更新毎に、更新された旨のメールが患者端末２へ届くので、患者端末２が携帯電話の場合には、摂取履歴の記入漏れを防止できるとともに、更新時点を的確に把握できる。なお、患者端末２がパソコンの場合には、メールを高頻度で見る習慣を付ければ良い。
【００９０】
個別の医院ＩＤが割り振られた医療機関は、医療機関端末３からインターネット回線１０を介して、サーバ１の外食データベース１３ｄに格納されている、自己の医療機関をかかりつけとする患者の予約データの閲覧が可能であり、更新された予約データがある場合には、医療機関側の栄養士が作った、その患者にとって好適な献立メニューを飲食店へ送り、予約が可能かどうかの確認結果を、通知対象の患者識別コードの患者へ送るための通知情報として通知データベース１３へ書き込む。
【００９１】
このため、医療機関は、患者が食事の際に摂取した食品の種類、量、日時を患者がサーバ１の食事データベース１３ｃへ書き込んだ摂取履歴を閲覧することにより、患者の健康管理に必要な情報量が増え、適切な治療を行うことができる。また、通知データベース１３ｅへ、通知対象の患者へ送るための通知情報を書き込んで、患者に食生活指導を行うことができる。
【００９２】
患者は、自分の患者端末２からサーバ１にアクセスして、かかりつけの医療機関で受けた生理学的検査の結果履歴や、かかりつけの医療機関へ来院した際に行った診察や治療に関する診療録を閲覧することにより、自宅等で任意の時間に、自分に対して行われた診察や治療の内容を確認できるとともに、自分の健康状態の推移を正確に把握できる。また、医療機関が書き込んだ通知情報（予約の確認結果や食生活指導等）を見れば、予約が取れたかどうかの確認ができるとともに、食生活指導を参考に食生活を改善することができる。
【００９３】
［変形例１］
請求項１、３の場合において、患者端末（または医療機関端末）からネットワークを介してサーバへアクセスする場合、患者（または医療機関）毎に異なった接続用のｕｒｌでログインする構成が好ましい。
【００９４】
［変形例２］
請求項２、４の場合において、医療機関が医療機関端末から医療機関用の個別のアクセスコードでサーバにアクセスする場合、共通のログイン画面に医療機関用のアクセスコードを入力する欄が表示される構成や、患者端末とは異なったｕｒｌのログイン画面から認証する構成でも良い。
【００９５】
［変形例３］
提携させた食材宅配業者から、バーコードや記号等を付けた食材パックを患者宅へ配送する仕組みにしても良く、こうすれば、バーコードや記号を患者端末から入力するだけで良いので患者の手間が省ける。
【産業上の利用可能性】
【００９６】
この日常生活改善システムを利用すれば、医療機関は、患者の健康管理に必要な情報量が増え、適切な治療を行うことができ、患者に食生活指導を行うことができる。また、患者は、自宅等で任意の時間に、自分に対して行われた診察や治療の内容を確認できるとともに、自分の健康状態の推移を正確に把握できる。
【符号の説明】
【００９７】
Ａ  日常生活改善システム
１  サーバ
２  患者端末
３  医療機関端末
１０  インターネット回線（ネットワーク）
１１ａ  認証手段
１３ａ  検査データベース
１３ｂ  診療データベース
１３ｃ  食事データベース
１３ｄ  外食データベース
１３ｅ  通知データベース
【図１】
2012190338.tif 000003
【図２】
2012190338.tif 000004
【図３】
2012190338.tif 000005
【図４】
2012190338.tif 000006
【図５】
2012190338.tif 000007
【図６】
2012190338.tif 000008
【図７】
2012190338.tif 000009
【図８】
2012190338.tif 000010